(57)【要約】【課題】板材の厚さに拘らずウィングバネの弾性力によってウィングバネとフランジ部との間に板材を挟持できるようにするとともに、断熱材との間に放熱のための空間を確保する。【解決手段】本体１を構成する固定部１２に対して可動体２を上下に移動自在にし、可動体２の保持部２３１，２４１にウィングバネ４Ａ，４Ｂを固定した。天井２０，３０の板厚に応じて固定部１２における可動体２の固定位置を変える。天井２０，３０の板厚に拘らず、天井２０，３０の上面と保持部２３１，２４１及び天板部２１との上下方向の距離を略一定にする。ウィングバネ４Ａ，４Ｂから天井２０，３０の上面に十分な弾性力を作用させることができるとともに、天井２０，３０と断熱材４０との間に放熱のための十分な空間が形成される。【選択図】図４
2009164015.tif 000002
【特許請求の範囲】
【請求項１】
板材に形成された孔部に前記板材の表面から裏面に向けて挿入され、フランジ部とウィングバネとの間に前記板材を挟持して前記板材に保持される埋込型照明器具であって、
前記フランジ部を第１の面に備え、光源を前記第１の面から外部に向けて保持する本体と、
前記本体における前記第１の面に平行な第２の面の外側に位置する天板部を有し、前記本体に対して所定範囲内で前記第１及び第２の面に直交する方向に沿って移動自在に支持された可動体と、
前記可動体を前記所定範囲内の複数の位置のそれぞれで前記本体に固定する固定部材と、
前記ウィングバネは、第１の端部が前記可動体に固定され、第２の端部を前記第１の面側に向けて付勢する弾性力を発生する、埋込型照明器具。
【請求項２】
前記本体は、前記第２の面が開放し、前記第１及び第２の面に直交する第３の面を備えた請求項１に記載の埋込型照明器具。
【請求項３】
前記可動体は、前記天板部に連続して前記第３の面に接触する支持部を備えた請求項２に記載の埋込型照明器具。
【請求項４】
前記所定範囲内の前記可動体の位置と前記板材の板厚との関係を表記した表示部材をさらに備えた請求項１乃至３の何れかに記載の埋込型照明器具。
【発明の詳細な説明】
【技術分野】
【０００１】
この発明は、天井や壁面に形成された孔部に挿入され、天井や壁面等に保持されるダウンライト等の埋込型照明器具に関する。
【背景技術】
【０００２】
天井や壁面等に取り付けられる照明器具として、ダウンライトのように天井や壁面等に形成された孔部に挿入され、天井や壁の内部に埋設される埋込型照明器具がある。埋込型照明器具は、天井の上面に当接する支持金具を備えている。天井の下面における孔部の周縁には、器具のフランジ部が当接する。支持金具とフランジ部とによって天井を挟持することで、埋込型照明器具が天井に保持される。
【０００３】
ところが、支持金具を備えた埋込型照明器具では、天井の板厚の変化に対応すべく支持金具を上下方向に移動自在に備える必要があり、支持金具を保持する金属枠を本体とは別体に備えている。このため、埋込型照明器具を天井等に取り付ける際には、金属枠を天井裏に配置した後に、本体を孔部に挿入して金属枠と一体にする必要があり、取付作業が煩雑化する。また、金属枠を必要とするため、デザイン上の制約が大きい。
【０００４】
そこで、従来の埋込型照明器具として、支持金具に代えてウィングバネを備えたものがある（例えば、特許文献１参照。）。天井等に形成された孔部に埋込型照明器具を挿入すると、孔部を通過したウィングバネが弾性力によって外側に露出して孔部の周縁部に圧接する。この圧接力によって、埋込型照明器具が天井に保持される。
【特許文献１】特開２００４−３６２９８９号公報
【発明の開示】
【発明が解決しようとする課題】
【０００５】
しかしながら、従来のウィングバネを備えた埋込型照明器具では、天井の板厚によってウィングバネの開放角度が変化する。図１に示すように、板厚の厚い天井１１０Ａに埋込型照明器具１００を取り付ける場合、ウィングバネ１０１から天井１１０Ａに対して下向きに作用する力が板厚の薄い天井１１０Ｂに比べて小さくなる。このため、埋込型照明器具１００を確実に天井１１０Ａに保持させることができなくなる。
【０００６】
また、板厚の厚い天井１１０Ａに埋込型照明器具１００を取り付ける場合、埋込型照明器具１００の周囲で天井内に敷設される断熱材１２０と天井１１０Ａとの間の空間が板厚の薄い天井１１０Ｂに比べて狭くなり、埋込型照明器具１００が発生する熱を十分に放熱することができない。特に、板厚が増すことによって天井の保温性が高まるため、放熱性がさらに低下する。
【０００７】
この発明の目的は、天井の板厚の変化に応じてウィングバネとともに天板を本体に対して上下方向に移動させることができるようにし、天井の板厚に拘らずウィングバネから天井に対して下向きの弾性力を作用させることができるとともに、断熱材との間に放熱のための空間を確保することができる埋込型照明器具を提供することにある。
【課題を解決するための手段】
【０００８】
この発明の埋込型照明器具は、本体、可動体、固定部材及びウィングバネを備えている。本体は、フランジ部を第１の面に備え、光源を前記第１の面から外部に向けて保持する。可動体は、本体における第１の面に平行な第２の面の外側に位置する天板部を有し、本体に対して所定範囲内で第１及び第２の面に直交する方向に沿って移動自在に支持されている。固定部材は、可動体を前記所定範囲内の複数の位置のそれぞれで前記本体に固定する。ウィングバネは、第１の端部が前記可動体に固定され、第２の端部を前記第１の面側に向けて付勢する弾性力を発生する。板材に形成された孔部に板材の表面から裏面に向けて挿入され、フランジ部とウィングバネとの間に板材を挟持して板材に保持される。
【０００９】
ウィングバネは、可動体と一体的に本体に対して本体の第１及び第２の面に直交する方向に沿って移動する。板材の厚さに応じて本体に対して可動体を移動させると、ウィングバネも可動体と一体的に移動し、板材の厚さに拘らずウィングバネの変形状態は略一定になり、第２の端部が板材の裏面に略一定の当接力で当接する。また、板材の厚さに拘らず板材の裏面から天板部までの距離が略一定にされる。
【００１０】
なお、本体は、第２の面が開放し、第１及び第２の面に直交する第３の面を備えたものであってもよい。第２の面と天板との間を介して本体内に空気が流通し、本体内部の放熱が促進される。
【００１１】
また、可動体は、天板部に連続して第３の面に接触する支持部を備えたものであってもよい。本体の熱が可動体に伝導し、本体の放熱が促進される。
【００１２】
所定範囲内の可動体の位置と板材の板厚との関係を表記した表示部材をさらに備えてもよい。天板及びウィングバネを、板材の厚さに応じた位置に容易に固定できる。
【発明の効果】
【００１３】
この発明によれは、板材の厚さに応じて本体に対してウィングバネを可動体と一体的に移動させることができ、ウィングバネの変形状態、及び板材の裏面から天板部までの距離が、板材の厚さに拘らず略一定にできる。板材の厚さが変化しても、ウィングバネの第２の端部を板材の裏面に常に略一定の当接力で当接させることができ、板材に確実に保持させることができる。また、板材の裏面を断熱材で覆う場合に、板材の厚さが変化しても、板材の裏面と断熱材との間に常に略一定の空間が形成され、十分な放熱効果を得ることができる。
【発明を実施するための最良の形態】
【００１４】
図２（Ａ）及び（Ｂ）は、この発明の実施形態に係る埋込型照明器具の正面断面図及び側面図である。図３（Ａ）及び（Ｂ）は、同埋込型照明器具を構成する可動体及び固定部の外観図である。埋込型照明器具１０は、本体１、可動体２、ウィングバネ４Ａ，４Ｂを備え、天井等に取り付けられる。埋込型照明器具１０は、天井に取り付ける場合、天井に形成された孔部に、表面（室内）側から裏面（天井裏）側に向けて挿入する。埋込型照明器具１０は、孔部を通過したウィングバネ４Ａ，４Ｂと、本体１の下端部に形成されているフランジ部と、の間に天井を挟持することで、天井に保持される。
【００１５】
本体１は、下方の反射部１１と上方の固定部１２とからなる。反射部１１は、開放した下面（この発明の第１の面である。）の周囲にフランジ部１１１を形成した円筒形状を呈しており、内部に光源であるＬＥＤ５及びレンズ３を保持している。ＬＥＤ５は下面から外部に向けて固定されている。
【００１６】
固定部１２は、一例として図３（Ｂ）に示すように、金属平板をプレス加工によって上面が開放した筐体形状に形成したものであり、反射部１１の上面に固定される。固定部１２は、側面１２１，１２２から背面１２３の前方に、背面１２３に平行に延出したガイド板１２４，１２５を備えている。固定部１２の上面（この発明の第２の面である。）は開放している。ガイド板１２４，１２５は、この発明の固定部材であり、同じく第３の面でもある。ガイド板１２４及びガイド板１２５のそれぞれには、指標孔１２６Ａ〜１２６Ｄ及び１２７Ａ〜１２７Ｄ、並びに長孔１２８及び１２９が形成されている。
【００１７】
指標孔１２６Ａ〜１２６Ｄ及び指標孔１２７Ａ〜１２７Ｄは、埋込型照明器具１０が取り付けられる天井の板厚に対応して形成されている。指標孔１２６Ａ，１２７Ａは、２０〜２５ｍｍの板厚に対応している。指標孔１２６Ｂ，１２７Ｂは、１５〜２０ｍｍの板厚に対応している。指標孔１２６Ｃ，１２７Ｃは、１０〜１５ｍｍの板厚に対応している。指標孔１２６Ｄ，１２７Ｄは、５〜１０ｍｍの板厚に対応している。
【００１８】
可動体２は、一例として図３（Ａ）に示すように、金属平板をプレス加工によって上面（この発明の天板部である。）２１、背面２２及び左右の側面２３，２４を有する筐体形状を呈している。側面２３，２４の上端と天板部２１との間には間隔が設けられている。側面２３及び側面２４のそれぞれの内側面の間隔は、固定部１２の側面１２１及び側面１２２のそれぞれの外側面の間隔に略等しくされている。
【００１９】
側面２３及び側面２４のそれぞれには、内側から外側に向かう切り起こし加工によって保持部２３１，２４１が形成されている。保持部２３１，２４１は、下方から挿入されたウィングバネ４Ａ，４Ｂの第１の端部を保持する。
【００２０】
背面２２には、２箇所にネジ孔２２１，２２２が形成されており、２箇所にマーク２２３，２２４が表記されている。但し、図３では一方のネジ孔２２２は図示されない。２個のネジ孔２２１，２２２の間隔は、２つの長孔１２８，１２９の間隔に等しくされている。２個のマーク２２３，２２４の間隔は、ガイド板１２４の指標孔１２６Ａ〜１２６Ｄとガイド板１２５の指標孔１２７Ａ〜１２７Ｄとの間隔に等しくされている。
【００２１】
可動体２は、固定部１２に上方から嵌合する。固定部１２に可動体２を嵌合させると、背面２２の前面がガイド板１２４，１２５の背面に当接し、側面２３，２４の内側面が側面１２１，１２２の外側面に近接する。この時、ネジ孔２２１，２２２のそれぞれが、長孔１２８，１２９に対向する。ネジ孔２２１，２２２のそれぞれには、長孔１２８，１２９を貫通した固定ネジ６が螺合する。ネジ孔２２１，２２２に固定ネジ６を締結することにより、固定部１２に可動体２が固定される。
【００２２】
ガイド板１２４の前面における指標孔１２６Ａ〜１２６Ｄの側方には、表示部材７が貼付されている。表示部材７には、指標孔１２６Ａ〜１２６Ｄのそれぞれに対向する位置に、指標孔１２６Ａ〜１２６Ｄのそれぞれが対応する天井の板厚が表記されている。
【００２３】
指標孔１２６Ａ〜１２６Ｄ及び指標孔１２７Ａ〜１２７Ｄのうちで埋込型照明器具１０を取り付けるべき天井の板厚に対応する指標孔を表示部材７の表記内容を確認して選択する。選択した指標孔を通してマーク２２３及び２２４が視認できるように、固定部１２に対して可動体２を上下に移動させる。マーク２２３及び２２４が天井の板厚に対応した指標孔１２６Ａ〜１２６Ｄの何れか及び指標孔１２７Ａ〜１２７Ｄの何れかを通して視認できる状態で固定ネジ６をネジ孔２２１，２２２に締結することにより、可動体２が天井の板厚に適合した高さで固定部１２に固定される。
【００２４】
ウィングバネ４Ａ，４Ｂは、一例として板バネであり、第１の端部を保持部２３１，２４１に保持されて可動体２に固定されている。したがって、可動体２を固定部１２に対して上下方向に移動させると、ウィングバネ４Ａ，４Ｂは可動体２と一体的に上下方向に移動する。ウィングバネ４Ａ，４Ｂは、第２の端部を下方に向けて付勢する弾性力を発生する。
【００２５】
図４（Ａ）及び（Ｂ）は、上記埋込型照明器具の使用状態を示す正面断面図である。図４（Ａ）は５〜１０ｍｍの板厚の天井２０に埋込型照明器具１０を取り付けた場合を示し、図４（Ｂ）は２０〜２５ｍｍの板厚の天井３０に埋込型照明器具１０を取り付けた場合を示している。
【００２６】
図４（Ａ）に示すように、埋込型照明器具１０を５〜１０ｍｍの板厚の天井２０に取り付ける場合には、マーク２２３，２２４が指標孔１２６Ｄ，１２７Ｄを通して視認できる位置で固定ネジ６をネジ孔２２１，２２２に締結する。この状態で、埋込型照明器具１０を天井２０の孔部２０Ａに表面（下面）から裏面（上面）に向けて挿入する。
【００２７】
埋込型照明器具１０の高さに比較して板厚が十分に薄い天井２０に埋込型照明器具１０を取り付けた場合には、可動体２を固定部１２において最も低い位置に固定しても、天井２０の裏面（上面）と保持部２３１，２４１との高さ方向の距離は十分に大きい。このため、ウィングバネ４Ａ，４Ｂの第２の端部を、ウィングバネ４Ａ，４Ｂが発生する弾性力によって天井２０の上面に圧接させることができる。ウィングバネ４Ａ，４Ｂとフランジ部１１１との間に天井２０を確実に挟持することができ、天井２０に埋込型照明器具１０を確実に取り付けることができる。
【００２８】
また、埋込型照明器具１０の高さに比較して板厚が十分に薄い天井２０に埋込型照明器具１０を取り付けた場合には、可動体２を固定部１２において最も低い位置に固定しても、天井２０の上面と天板２１との高さ方向の距離は十分に大きい。このため、天井２０の上面を可撓性を有する断熱材４０で被覆した場合に、埋込型照明器具１０の周囲における天井２０の上面と断熱材４０の下面との間に十分に大きな空間が形成される。埋込型照明器具１０において発生した熱を確実に放熱することができる。
【００２９】
図４（Ｂ）に示すように、埋込型照明器具１０を２０〜２５ｍｍの板厚の天井３０に取り付ける場合には、マーク２２３，２２４が指標孔１２６Ａ，１２７Ａを通して視認できる位置で固定ネジ６をネジ孔２２１，２２２に締結する。この状態で、埋込型照明器具１０を天井３０の孔部３０Ａに表面（下面）から裏面（上面）に向けて挿入する。
【００３０】
埋込型照明器具１０の高さに比較して板厚が厚い天井３０に埋込型照明器具１０を取り付ける場合には、可動体２を固定部１２において最も高い位置に固定し、天井３０の上面と保持部２３１，２４１との高さ方向の距離を十分に大きくする。これによって、ウィングバネ４Ａ，４Ｂの第２の端部を、ウィングバネ４Ａ，４Ｂが発生する弾性力によって天井３０の上面に圧接させることができる。ウィングバネ４Ａ，４Ｂとフランジ部１１１との間に天井３０を確実に挟持することができ、天井３０に埋込型照明器具１０を確実に取り付けることができる。
【００３１】
また、埋込型照明器具１０の高さに比較して板厚が厚い天井３０に埋込型照明器具１０を取り付ける場合には、可動体２を固定部１２において最も高い位置に固定し、天井３０の上面と天板部２１との高さ方向の距離を十分に大きくする。これによって、天井３０の上面を可撓性を有する断熱材４０で被覆した場合に、埋込型照明器具１０の周囲における天井３０の上面と断熱材４０の下面との間に十分に大きな空間が形成される。埋込型照明器具１０において発生した熱を確実に放熱することができる。
【００３２】
表示部材７の表記内容を視認することで、埋込型照明器具１０を取り付ける天井の板厚に応じて可動体２を固定部１２に対して上下方向に移動させる作業を容易に行うことができる。
【００３３】
埋込型照明器具１０で主にＬＥＤ５から発生が熱は、反射部１１から固定部１２に伝導した後、固定部１２の背面を含む垂直面から放熱されるとともに、天板部２１と側面１２１，１２２との空間から対流により放熱される。また、固定部１２に伝導した熱は、ガイド板１２４，１２５から可動体２に伝導した後、天板部２１、側面２３，２４から放熱される。
【００３４】
なお、上記の実施形態では、２個のウィングバネ４Ａ，４Ｂを備えたが本体１の周囲に３個以上のウィングバネを備えることもできる。また、上記の実施形態では、５〜２５ｍｍの範囲の板厚の天井に適用できるものを例に挙げたが、これに限るものではない。さらに、上記の実施形態では、固定部１２に対する可動体２の上下方向の移動位置を４箇所にしたが、これに限るものではなく、所定範囲の任意の位置で固定できるようにしてもよい。また、上記の実施形態では、埋込型照明器具１０を天井に取り付ける場合について説明したが、壁面にも同様に取り付けることができる。
【００３５】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３６】
【図１】従来の埋込型照明器具の使用状態を示すハッチングを省略した半断面図である。
【図２】（Ａ）及び（Ｂ）は、この発明の実施形態に係る埋込型照明器具の正面断面図及び側面図である。
【図３】（Ａ）及び（Ｂ）は、同埋込型照明器具を構成する可動体及び固定部の外観図である。
【図４】（Ａ）及び（Ｂ）は、同埋込型照明器具の使用状態を示す図である。
【符号の説明】
【００３７】
１−本体
２−可動体
４Ａ，４Ｂ−ウィングバネ
５−ＬＥＤ（光源）
７−表示部材
１１−反射部
１２−固定部
１２４，１２５−ガイド板（固定部材）
２０，３０−天井（板材）
２２−背面（支持部）
【図１】
2009164015.tif 000003
【図２】
2009164015.tif 000004
【図３】
2009164015.tif 000005
【図４】
2009164015.tif 000006